(57)【要約】【課題】  モバイルデバイス通信、特に、少なくとも１つのテキストメッセージキーワードに基づいてモバイルドメインとのユーザ対話を加入者が管理することを可能にする技術を提供する。【解決手段】  新しい又は見込み客（ユーザ）にテキストメッセージベースのキャンペーンを提供する加入者（例えば、ビジネス、機関、広告代理店、取引相手、プロバイダ、個人、及び企業）のためのモバイルドメインプラットフォーム。加入者は、登録されたキーワードの１つ又はそれよりも多くを含むプラットフォームに送られたテキストメッセージの次の処理のために少なくとも１つの利用可能なキーワードを選択し、モバイルドメインプラットフォームに登録することによってモバイルドメインを作成することができる。また、加入者は、テキストの付加的な英数字ストリングを含むモバイルドメインプラットフォームに送られた次のテキストメッセージ（ルートキーワードプラス他の所定のキーワードの１つ又はそれよりも多くの組合せ）を１つ又はそれよりも多くの異なるアクションを可能にするために自動的に処理することができるように、モバイルドメインに対するルートとして１つ又はそれよりも多くのキーワードを登録することができる。モバイルドメインキーワードは、一般的に、１つ又はそれよりも多くの英数字文字から成り、単語、句、略語、又は文字のいずれか１つとすることができる。【選択図】      図１
2009540472.tif 000002
【特許請求の範囲】
【請求項１】
ユーザとプラットフォームへの加入者との間で通信されるテキストメッセージを管理する方法であって、
プラットフォームに対応するモバイル番号にユーザによって送られた各テキストメッセージを受信する段階と、
前記プラットフォームによって加入者に対して登録された少なくとも１つのキーワードを含む各テキストメッセージを判断する段階と、
少なくとも１つの登録されたキーワードを含む各テキストメッセージに含まれたコンテンツを前記プラットフォームが処理することを可能にし、少なくとも１つの登録されたキーワードを有する各テキストメッセージに含まれた該コンテンツの別々の処理は、各対応する加入者によって所定のものである段階と、
少なくとも１つの登録されたキーワードを含む少なくとも１つのテキストメッセージに含まれたコンテンツの処理からの少なくとも１つの結果の前記対応する加入者への少なくとも１つの配信アクションを有効にし、各配信アクションが、登録された加入者によって判断可能である段階と、
を含むことを特徴とする方法。
【請求項２】
前記加入者が、少なくとも１つの利用可能なキーワードを検索し、該少なくとも１つの利用可能なキーワードを前記プラットフォームに登録することを可能にする段階と、
前記加入者に対して登録された少なくとも１つのキーワードを含む各受信テキストメッセージを処理するための少なくとも１つのアプリケーションを該加入者が定義することを可能にする段階と、
前記加入者に対して登録された少なくとも１つのキーワードを含む各受信テキストメッセージを処理するための少なくとも１つの規則を該加入者が定義することを可能にする段階と、
を更に含むことを特徴とする請求項１に記載の方法。
【請求項３】
前記加入者に対して登録された少なくとも１つのキーワードを含む各受信テキストメッセージを処理するための少なくとも１つのカスタムアプリケーションを該加入者が作成することを可能にする段階と、
前記加入者に対して登録された少なくとも１つのキーワードを含む各受信テキストメッセージを処理するための少なくとも１つのカスタム規則を該加入者が作成することを可能にする段階と、
を更に含むことを特徴とする請求項１に記載の方法。
【請求項４】
少なくとも１つのテキストメッセージに含まれたコンテンツの処理からの前記結果を配信するための１つ又はそれよりも多くの提供された配信機構又は１つ又はそれよりも多くの提供された配信規則を前記加入者が定義することを可能にする段階を更に含み、
前記配信機構は、電話呼び出し、電子メール、警報、「インスタントメッセージ（ＩＭ）」、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、チャット、又はウェブページ更新のうちの少なくとも１つを含む、
ことを特徴とする請求項１に記載の方法。
【請求項５】
少なくとも１つのテキストメッセージに含まれたコンテンツの処理からの前記結果を配信するための１つ又はそれよりも多くの配信機構を前記加入者がカスタマイズすることを可能にする段階と、
電話呼び出し、電子メール、警報、「インスタントメッセージ（ＩＭ）」、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、チャット、又はウェブページ更新のうちの少なくとも１つを含む前記配信機構に対して１つ又はそれよりも多くの配信規則を前記加入者がカスタマイズすることを可能にする段階と、
を更に含むことを特徴とする請求項１に記載の方法。
【請求項６】
前記加入者及び前記プラットフォームの少なくとも一方からの前記ユーザへの応答として、コンテンツが該ユーザからの前記受信テキストメッセージの処理の前記結果に少なくとも一部基づく別のテキストメッセージを送信する段階を更に含むことを特徴とする請求項１に記載の方法。
【請求項７】
前記加入者に対して登録された少なくとも１つのキーワードに基づいて前記加入者がドメインを定義することを可能にし、該加入者は、該登録されたキーワードを該ドメインに対するルートとして識別する段階と、
前記ルートキーワードと組み合わせて準備された少なくとも１つの他のキーワードに基づいて少なくとも１つのサブドメインの階層を前記加入者が定義することを可能にする段階と、
前記ルート登録キーワードと前記少なくとも１つの他のキーワードとの前記組合せによって定義された前記サブドメインを少なくとも含むテキストメッセージコンテンツに基づいて各サブドメインの処理を前記加入者が別に定義することを可能にする段階と、
を更に含むことを特徴とする請求項１に記載の方法。
【請求項８】
前記ルート登録キーワードと前記少なくとも１つの他のキーワードとの少なくとも前記組合せによって定義された前記サブドメインを含む各受信テキストメッセージを処理するための少なくとも１つのアプリケーションを前記加入者が定義することを可能にする段階と、
前記ルート登録キーワードと前記少なくとも１つの他のキーワードとの少なくとも前記組合せによって定義された前記サブドメインを含む各受信テキストメッセージを処理するための少なくとも１つの規則を前記加入者が定義することを可能にする段階と、
を更に含むことを特徴とする請求項７に記載の方法。
【請求項９】
前記処理の各結果は、リアルタイムで前記加入者に配信されるか又はバッチ配信に集約されることを特徴とする請求項１に記載の方法。
【請求項１０】
前記モバイル番号は、前記プラットフォームに対応するショートコードモバイル番号又はフルサイズモバイル番号のうちの少なくとも一方であり、
少なくとも１つのゲートウェイが、前記モバイル番号に少なくとも一部基づいて前記プラットフォームに受信テキストメッセージを通信するために有効にされる、
ことを特徴とする請求項１に記載の方法。
【請求項１１】
前記処理が対話式として定義された場合に、前記ユーザから受信した各その後のテキストメッセージへの各応答を少なくとも１つのステートマシンが管理することを可能にする段階を更に含むことを特徴とする請求項１に記載の方法。
【請求項１２】
前記受信テキストメッセージは、モバイルデバイス又はネットワークデバイスのうちの少なくとも一方から前記プラットフォームに前記ユーザによって送信されることを特徴とする請求項１に記載の方法。
【請求項１３】
キャンペーンのための登録に対して利用可能な特定のキーワードを含む前記受信テキストメッセージの各インスタンスに対して各加入者が動的に入札することを可能にする段階を更に含むことを特徴とする請求項１に記載の方法。
【請求項１４】
前記動的入札は、更に、期間又は資金額のうちの少なくとも一方に関して前記加入者によって定義されることを特徴とする請求項１３に記載の方法。
【請求項１５】
ある一定の期間のキャンペーンのための少なくとも１つの利用可能なキーワードの登録に対して各加入者が入札することを可能にする段階を更に含むことを特徴とする請求項１に記載の方法。
【請求項１６】
前記登録されたキーワードをオンライン検索に対する結果に含めることを可能にする段階を更に含み、
前記オンライン検索結果は、前記登録キーワードを有する少なくとも１つのテキストメッセージを前記プラットフォームに対応する前記モバイル番号に送信することによって更に別の情報を取得する少なくとも１つの命令を含む、
ことを特徴とする請求項１に記載の方法。
【請求項１７】
利用可能なキーワードに対する登録商標の所有者として前記プラットフォームに対して識別された各加入者が、唯一そのキーワードをキャンペーンに対して登録することを有効にされることを可能にする段階を更に含むことを特徴とする請求項１に記載の方法。
【請求項１８】
前記処理されたコンテンツは、前記登録された加入者によって換金可能な少なくとも１つのクーポンの表示を含むことを特徴とする請求項１に記載の方法。
【請求項１９】
複数の加入者又は複数のユーザの少なくとも一方に対して前記プラットフォームがアクションを同時に有効にすることを可能にする段階を更に含むことを特徴とする請求項１に記載の方法。
【請求項２０】
前記加入者に対して登録された少なくとも１つのキーワードを有する各テキストメッセージに含まれた前記コンテンツの前記処理に関する少なくとも１つのレポートを該加入者に提供する段階と、
リアルタイム、定期的、又はバッチのうちの少なくとも１つで前記加入者に提供される各レポートのコンテンツに少なくとも一部基づいて、キャンペーン中に前記テキストメッセージコンテンツの前記処理を該加入者が修正することを可能にする段階と、
を更に含むことを特徴とする請求項１に記載の方法。
【請求項２１】
ユーザと加入者の間で通信されるテキストメッセージを管理するためのシステムであって、
ネットワークと、
サーバに対応するモバイル番号にユーザがテキストメッセージを送信することを可能にするクライアントと、
を含み、
前記サーバは、
前記サーバによって前記加入者に対して登録された少なくとも１つのキーワードを含む各テキストメッセージを判断する段階と、
少なくとも１つの登録されたキーワードを含む各テキストメッセージに含まれたコンテンツを処理し、少なくとも１つの登録キーワードを有する各テキストメッセージに含まれた該コンテンツの別々の処理は、各対応する加入者による所定のものである段階と、
少なくとも１つの登録キーワードを含む少なくとも１つのテキストメッセージに含まれたコンテンツの処理からの少なくとも１つの結果の、各アクションが前記登録加入者によって判断可能である前記対応する加入者への少なくとも１つの配信アクションを有効にする段階と、
を含むアクションを有効にする、
ことを特徴とするシステム。
【請求項２２】
前記クライアントは、モバイルデバイス及びネットワークデバイスのうちの少なくとも一方と共に作動可能であることを特徴とする請求項２１に記載のシステム。
【請求項２３】
前記サーバは、
前記加入者が、少なくとも１つの利用可能なキーワードを検索し、該少なくとも１つの利用可能なキーワードを登録することを可能にする段階と、
前記加入者に対して登録された少なくとも１つのキーワードを含む各受信テキストメッセージを処理するための少なくとも１つのアプリケーションを該加入者が定義することを可能にする段階と、
前記加入者に対して登録された少なくとも１つのキーワードを含む各受信テキストメッセージを処理するための少なくとも１つの規則を該加入者が定義することを可能にする段階と、
を含む更に別のアクションを有効にする、
ことを特徴とする請求項２１に記載のシステム。
【請求項２４】
前記加入者に対して登録された少なくとも１つのキーワードを含む各受信テキストメッセージを処理するための少なくとも１つのカスタムアプリケーションを該加入者が作成することを可能にする段階と、
前記加入者に対して登録された少なくとも１つのキーワードを含む各受信テキストメッセージを処理するための少なくとも１つのカスタム規則を該加入者が作成することを可能にする段階と、
を更に含むことを特徴とする請求項２１に記載のシステム。
【請求項２５】
前記加入者が、少なくとも１つのテキストメッセージに含まれたコンテンツの処理からの前記結果を配信するための１つ又はそれよりも多くの提供された配信機構を定義し、又は１つ又はそれよりも多くの提供された配信規則を定義することを可能にする段階を更に含み、
前記配信機構は、電話呼び出し、電子メール、警報、「インスタントメッセージ（ＩＭ）」、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、チャット、又はウェブページ更新のうちの少なくとも１つを含む、
ことを特徴とする請求項２１に記載のシステム。
【請求項２６】
少なくとも１つのテキストメッセージに含まれたコンテンツの処理からの前記結果を配信するための１つ又はそれよりも多くの配信機構を前記加入者がカスタマイズすることを可能にする段階と、
電話呼び出し、電子メール、警報、「インスタントメッセージ（ＩＭ）」、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、チャット、又はウェブページ更新のうちの少なくとも１つを含む前記配信機構に対して１つ又はそれよりも多くの配信規則を前記加入者がカスタマイズすることを可能にする段階と、
を更に含むことを特徴とする請求項２１に記載のシステム。
【請求項２７】
前記サーバは、電話呼び出し、電子メール、警報、「インスタントメッセージ（ＩＭ）」、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、チャット、又はウェブページ更新のうちの少なくとも１つを含む、少なくとも１つのテキストメッセージに含まれたコンテンツの処理からの前記結果を配信するための１つ又はそれよりも多くの配信機構を前記加入者が定義することを可能にする段階を含む更に別のアクションを有効にすることを特徴とする請求項２１に記載のシステム。
【請求項２８】
前記サーバは、
前記加入者に対して登録された少なくとも１つのキーワードに基づいて前記加入者がドメインを定義することを可能にし、該加入者は、該登録されたキーワードを該ドメインに対するルートとして識別する段階と、
前記ルートキーワードと組み合わせて準備された少なくとも１つの他のキーワードに基づいて少なくとも１つのサブドメインの階層を前記加入者が定義することを可能にする段階と、
前記ルート登録キーワードと前記少なくとも１つの他のキーワードとの前記組合せによって定義された前記サブドメインを少なくとも含むテキストメッセージコンテンツに基づいて各サブドメインの処理を前記加入者が別に定義することを可能にする段階と、
を含む更に別のアクションを有効にする、
ことを特徴とする請求項２１に記載のシステム。
【請求項２９】
前記サーバは、
前記ルート登録キーワードと前記少なくとも１つの他のキーワードとの少なくとも前記組合せによって定義された前記サブドメインを含む各受信テキストメッセージを処理するための少なくとも１つのアプリケーションを前記加入者が定義することを可能にする段階と、
前記ルート登録キーワードと前記少なくとも１つの他のキーワードとの少なくとも前記組合せによって定義された前記サブドメインを含む各受信テキストメッセージを処理するための少なくとも１つの規則を前記加入者が定義することを可能にする段階と、
を含む更に別のアクションを有効にする、
ことを特徴とする請求項２８に記載のシステム。
【請求項３０】
前記モバイル番号は、前記サーバに対応するショートコードモバイル番号又はフルサイズモバイル番号のうちの少なくとも一方であり、
少なくとも１つのゲートウェイが、前記モバイル番号に少なくとも一部基づいて前記サーバに受信テキストメッセージを通信するために有効にされる、
ことを特徴とする請求項２１に記載のシステム。
【請求項３１】
前記サーバは、キャンペーンのための登録に対して利用可能な特定のキーワードを含む前記受信テキストメッセージの各インスタンスに対して各加入者が動的に入札することを可能にする段階を含む更に別のアクションを有効にすることを特徴とする請求項２１に記載のシステム。
【請求項３２】
前記動的入札は、更に、期間又は資金額のうちの少なくとも一方に関して前記加入者によって定義されることを特徴とする請求項２１に記載のシステム。
【請求項３３】
ある一定の期間のキャンペーンのための少なくとも１つの利用可能なキーワードの登録に対して各加入者が入札することを可能にする段階を更に含むことを特徴とする請求項２１に記載のシステム。
【請求項３４】
前記サーバは、前記登録されたキーワードをオンライン検索に対する結果に含めることを可能にする段階を含む更に別のアクションを有効にし、
前記オンライン検索結果は、前記登録キーワードを有する少なくとも１つのテキストメッセージを前記サーバに対応する前記モバイル番号に送信することによって更に別の情報を取得する少なくとも１つの命令を含む、
ことを特徴とする請求項２１に記載のシステム。
【請求項３５】
前記処理されたコンテンツは、前記登録された加入者によって換金可能な少なくとも１つのクーポンの表示を含むことを特徴とする請求項２１に記載のシステム。
【請求項３６】
複数の加入者又は複数のユーザの少なくとも一方に対して前記サーバがアクションを同時に有効にすることを可能にする段階を更に含むことを特徴とする請求項２１に記載のシステム。
【請求項３７】
前記加入者に対して登録された少なくとも１つのキーワードを有する各テキストメッセージに含まれた前記コンテンツの前記処理に関する少なくとも１つのレポートを該加入者に提供する段階と、
リアルタイム、定期的、又はバッチのうちの少なくとも１つで前記加入者に提供される各レポートのコンテンツに少なくとも一部基づいて、キャンペーン中に前記テキストメッセージコンテンツの前記処理を該加入者が修正することを可能にする段階と、
を更に含むことを特徴とする請求項２１に記載のシステム。
【請求項３８】
ユーザとプラットフォームへの加入者との間で通信されるテキストメッセージを管理するためのデータを含むプロセッサ実行可能媒体であって、
データの実行が、
プラットフォームに対応するモバイル番号にユーザによって送られた各テキストメッセージを受信する段階と、
前記プラットフォームによって加入者に対して登録された少なくとも１つのキーワードを含む各テキストメッセージを判断する段階と、
少なくとも１つの登録されたキーワードを含む各テキストメッセージに含まれたコンテンツを前記プラットフォームが処理することを可能にし、少なくとも１つの登録されたキーワードを有する各テキストメッセージに含まれた該コンテンツの別々の処理は、各対応する加入者によって所定のものである段階と、
少なくとも１つの登録されたキーワードを含む少なくとも１つのテキストメッセージに含まれたコンテンツの処理からの少なくとも１つの結果の前記対応する加入者への少なくとも１つの配信アクションを有効にし、各配信アクションが、登録された加入者によって判断可能である段階と、
を含むアクションを有効にする、
ことを特徴とする媒体。
【請求項３９】
ユーザと加入者の間で通信されるテキストメッセージを管理するためのサーバであって、
ネットワーク上で通信するための第１の構成要素と、
プラットフォームに対応するモバイル番号にユーザによって送られた各テキストメッセージを受信するための第２の構成要素と、
前記プラットフォームによって加入者に対して登録された少なくとも１つのキーワードを含む各テキストメッセージを判断するための第３の構成要素と、
少なくとも１つの登録されたキーワードを含む各テキストメッセージに含まれたコンテンツを前記プラットフォームが処理することを可能にし、かつ少なくとも１つの登録されたキーワードを有する各テキストメッセージに含まれた該コンテンツの別々の処理が、各対応する加入者によって所定のものである第４の構成要素と、
少なくとも１つの登録されたキーワードを含む少なくとも１つのテキストメッセージに含まれたコンテンツの処理からの少なくとも１つの結果の前記対応する加入者への少なくとも１つの配信アクションを有効にし、かつ各配信アクションが、登録された加入者によって判断可能である第５の構成要素と、
を含むことを特徴とするサーバ。
【発明の詳細な説明】
【技術分野】
【０００１】
関連出願への相互参照
本出願は、引用により本明細書に組み込まれる２００６年６月１４日出願のインド特許出願出願番号第５８７／ＫＯＬ／２００６号の恩典を請求する。
本発明は、モバイルデバイス通信に関し、より具体的には、少なくとも１つのテキストメッセージキーワードに基づいてモバイルドメインとのユーザ対話を加入者が管理することを可能にすることに関する。
【背景技術】
【０００２】
今日のグローバル社会では、企業は、その商品へのアクセスを消費者に提供するために一日中、毎日営業していることが多い。最近の技術の発展は、製品及びサービスを買う場所及び方法における大幅な柔軟性を消費者に提供している。例えば、消費者と企業は、有線又は無線電話（音声）、ウェブサイト、電子メール、テキストメッセージ、インスタントメッセージ、及びファックスなどによって通信することができる。また、多くの消費者は、多くの場合に、関心の製品及びサービスに関する情報を調べるためにキーワードオンライン検索エンジンを利用する。これらの検索の結果は、一般的に、モデル、価格、店のロケーション、レビュー、及び販売業者のような該当する製品／サービス情報のリストを生成する。更に、殆どの検索エンジン会社は、特定のキーワードに対する検索結果における目立つ場所に対してオンライン販売業者が支払うことを可能にしている。
【０００３】
多くの大規模及び中規模企業は、それらが提供するサービス及び商品に関するオンラインウェブサイト又はポータル、例えば、ｗｗｗ．ｘｙｚｃｏｍｐａｎｙ．ｃｏｍへの「インターネット」上のアクセスを提供する。多くの小規模企業は、多くの場合にオンラインで情報にアクセスする顧客に対して製品及びサービスを販売するが、これらの小規模企業は、一般的に、オンライン上の存在を維持するだけの余裕がない。しかし、小規模企業は、多くの場合に有線及び／又は無線電話、ファックス、及びテキストメッセージングなどのような通信の１つ又はそれよりも多くの手段によってその顧客にアクセス可能である。
本発明の非制限的かつ非網羅的な実施形態を以下の図面に関して説明する。図面では、同じ参照番号は、他の指定がなければ様々な図を通して同じ部分を示している。
【０００４】
【特許文献１】インド特許出願出願番号第５８７／ＫＯＬ／２００６号
【発明の開示】
【０００５】
ここで、本明細書の一部を形成し、かつ本発明を実施することができる特定の例示的な実施形態を図によって例証する添付の図面に関して、本発明を以下に更に詳しく説明する。しかし、本発明は、多くの異なる形態で実施することができ、本明細書に示す実施形態に制限されるものと解釈してはならず、逆にこれらの実施形態は、本発明の開示を完全なものにし、当業者に本発明の範囲を完璧に伝えるために提供されるものである。とりわけ、本発明は、方法、処理、システム、ビジネス方法又はデバイスとして具現化することができる。従って、本発明は、完全なハードウエア実施形態、完全なソフトウエア実施形態、又はソフトウエアとハードウエアの態様を結合した実施形態の形態を取ることができる。以下の詳細説明は、従って、制限の意味で捉えるべきではない。
【０００６】
本発明は、一般的に、新しい又は見込み客（ユーザ）にテキストメッセージベースのキャンペーンを提供するために、加入者（例えば、ビジネス、機関、広告代理店、取引相手、プロバイダ、個人、及び企業など）に対してモバイルドメインプラットフォームを提供する方法及びシステムに関連する。加入者は、登録されたキーワードの１つ又はそれよりも多くを含むプラットフォームに送られたテキストメッセージの次の処理のために少なくとも１つの利用可能なキーワードを選択し、モバイルドメインプラットフォームに登録することによってモバイルドメインを作成することができる。また、加入者は、テキストの付加的な英数字ストリングを含むモバイルドメインプラットフォームに送られた次のテキストメッセージ（ルートキーワードプラス他の所定のキーワードの１つ又はそれよりも多くの組合せ）を１つ又はそれよりも多くの異なるアクションを可能にするために自動的に処理することができるように、モバイルドメインに対するルートとして１つ又はそれよりも多くのキーワードを登録することができる。モバイルドメインキーワードは、一般的に、１つ又はそれよりも多くの英数字文字から成り、単語、句、略語、及び文字などのいずれか１つとすることができる。
【０００７】
モバイルドメインプラットフォームにより、加入者は、プラットフォームに対応するモバイル番号に送られたテキストメッセージを処理する１つ又はそれよりも多くの定義アプリケーションに対する規則、イベント、及び／又は条件を定義することができ、メッセージは、登録されたキーワードの１つ又はそれよりも多くを含む。テキストメッセージキーワードの処理は、一般的に加入者によって定義されるが、モバイルドメインプラットフォームによって提供される１つ又はそれよりも多くのデフォルト規則に従っても行うことができる。
【０００８】
アプリケーション処理の例は、加入者によって作成されたポーリングに対するテキストメッセージ内の返答を集約する段階、又は一般的なキーワード、例えば、「ピザ」を登録するための最高入札値をモバイルドメインプラットフォームに提供した複数の加入者の１人を識別する段階を含むことができる。１つ又はそれよりも多くの配信アクションが、受信したテキストメッセージに含まれた１つ又はそれよりも多くの登録されたキーワードに対応する各アプリケーションに対して加入者によって予め識別される。これらの配信アクションの例は、電子メール、ファックス、警報、デイリーダイジェスト、「リアリー・シンプル・シンジケーション（ＲＳＳ）」フィード、電話呼び出し、「ファイル転送プロトコル（ＦＴＰ）」、「ショートメッセージサービス（ＳＭＳ）」、「マルチメディアメッセージサービス（ＭＭＳ）」、チャット、及びウェブページ更新などの１つ又はそれよりも多くによってユーザの情報を加入者に提供する段階を含むことができる。各配信アクションは、優先度及び重要度のような様々な要素に基づいて加入者によって別々に構成することができる。配信アクションは、量、地理、価格プラン、時間、日付、休日、販売プロモーション、及び天気などのような異なる要素に基づいて異なる統一小売価格で加入者にモバイルドメインプラットフォームによって供給される。
【０００９】
例えば、加入者がルートとしてキーワード「ピザ」の制御に現在登録している場合、高優先度販売リードとして１つ又はそれよりも多くの配信アクションによって加入者の顧客サービス要員に「ピザを買う」という句を含むモバイルドメインプラットフォームへのテキストメッセージが、リアルタイムで自動的に配信されるであろう。対照的に、「ピザアドレス」という句を含むテキストメッセージは、バッチモードで定期的に処理され、情報の一時間毎又は一日毎のダイジェストが問い合わせた時に比較的廉価な配信機構によって加入者の顧客サービス要員に配信される。
【００１０】
また、加入者は、１つ又はそれよりも多くの方法でモバイルドメインに対するキーワードの登録の制御を獲得することができる。例えば、一実施形態では、幾人かの加入者は、「ピザ」のような人気が高くかつ比較的一般的なキーワードを包含したモバイルドメインプラットフォームによって受信したテキストメッセージの各インスタンスの制御を入札することができると考えられる。従って、受信したテキストメッセージは、次にモバイルドメインプラットフォームと共に最高入札加入者によって予め決められたアプリケーション及び配信アクションに従って処理されるであろう。他の実施形態では、加入者は、ある一定の期間、例えば、日及び月などにわたってポーリング、広告、及び要求履行などのようなキャンペーンに関連付けられた特定のキーワードを含む全テキストメッセージに対して専用制御を入札することができると考えられる。
【００１１】
更に別の実施形態では、加入者は、特定の期間にわたって資金の所定の額によって利用可能なキーワードを登録することに動的に入札することができると考えられる。例えば、加入者は、３３４ドルを超えて１日に消費できないこと、及びこの額だけを加入者が営業を開始している日及び時間のような特定の日及び時間の間に消費することができるという更に別の制限と共に１ヶ月の期間にわたって特定のキーワードに動的に入札するためにプラットフォームに１０、０００ドルを提供することができる。
更に、特定のキーワードが潜在的又は既存の加入者の登録商標であるということがモバイルドメインプラットフォームのオペレータにもたらされた場合、オペレータは、単に、そのキーワードをモバイルドメインプラットフォームへの登録のための登録商標ホルダに利用可能にするように選択することができる。
【００１２】
少なくとも１つの実施形態では、登録されたキーワードを有するテキストメッセージは、モバイルドメインプラットフォームに対応するショートコードモバイル番号を通じて送られる。ショートコードモバイル番号は、一般的に、４又は５桁、例えば、８２４３又は９２４６６を含む。また、ユーザは、テキストメッセージを無線／モバイルデバイス又はパーソナルコンピュータのような有線デバイスからモバイルドメインプラットフォームに対応するショートコードモバイル番号に送ることができる。しかし、モバイルドメインプラットフォームは、それを非ショートコードモバイル番号、電子メールアドレス、「インスタントメッセージ（ＩＭ）」ハンドル、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、及びチャットなどから受信したテキストメッセージを処理するように準備することができるので、これに制限されない。一般的に、モバイルドメインプラットフォームは、特定のキーワードを制御するためにプラットフォームに現在登録されている加入者によって予め定義された１つ又はそれよりも多くのアプリケーション、対話、及び配信アクションを備えたモバイルドメインキーワードを含む受信テキストメッセージを処理するように準備することができる。
【００１３】
１つの例示的な実施形態では、ユーザは、ショートコードモバイル番号「８２４３」にモバイルドメインキーワード「ピザ買う」を含むテキストメッセージを送ることができると考えられる。モバイルドメインプラットフォームは、テキストメッセージを処理し、「ピザ」モバイルドメインキーワードへの現在登録されている加入者にリアルタイムでそのコンテンツ及びユーザ情報を配信する。幾らか類似の方法で、キーワード「ポーリング」を含むテキストメッセージに応答して、モバイルドメインプラットフォームは、前に定義されたアプリケーションにメッセージを処理させ、そのコンテンツをモバイルドメインキーワード「ポーリング」を含んでいた他のテキストメッセージのコンテンツに統合させることができる。これらの集約された結果は、キーワード「ポーリング」の登録を現在制御している加入者に所定の方法で引き続いて配信されるであろう。
【００１４】
一実施形態では、モバイルドメインキーワード及びショートコードモバイル番号情報は、オンライン検索に対する他の結果と共にリストで提供される。少なくとも、この情報は、オンライン検索結果として提供されるので、対話式オンライン上の存在を持たない加入者が、オンライン機能を有するユーザへのアクセスを獲得することができる。別の実施形態では、このモバイルドメインキーワード及びショートモバイルコード番号情報は、新聞、雑誌、本、チラシ、又は広告のような印刷された文書で利用可能である。更に他の実施形態では、この情報は、ビデオディスプレイ、動画、写真、又は発表を通じて顧客／ユーザに通信することができる。更に、ユーザに提供することができるモバイルドメインキーワード及びショートコードモバイル番号情報の例示的なリストをすぐ下に列挙する。
「この法律インターンシップジョブに対する応募要項を得るためには、「Ａｐｐｌｙ  ｌａｗ」を付けたテキストメッセージを８２４３に送信して下さい。」
一実施形態では、キーワード及びショートコード情報のリストは、印刷文書で加入者によって提供され、別の実施形態では、モバイルドメインプラットフォームは、この情報をプログラマージョブに対するユーザのオンライン検索の結果に含めることを可能にすることができる。
【発明を実施するための最良の形態】
【００１５】
例示的な作動環境
図１は、本発明を実施することができるネットワーク環境の一実施形態の構成要素を示している。構成要素の全てが、本発明を実施するのに必要であるわけではなく、構成要素の配置及び種類における変形は、本発明の精神又は範囲から逸脱することなく行うことができる。図のように、図１のシステム１００は、ローカルエリアネットワーク（ＬＡＮ）／ワイドエリアネットワーク（ＷＡＮ）−（ネットワーク）１０５、無線ネットワーク１１０、「モバイルドメイン」プラットフォーム１０６、モバイルデバイス（クライアントデバイス）１０２−１０４、及びクライアントネットワークデバイス１０１を含む。
【００１６】
モバイルデバイス１０２−１０３の一実施形態を図２に関して以下に更に詳しく説明する。しかし、一般的にはモバイルデバイス１０２−１０４は、ネットワーク１０５又は無線ネットワーク１１０などのようなネットワーク上でメッセージを受信及び送信することができる実質的にあらゆる携帯式コンピュータデバイスを含むことができる。モバイルデバイス１０２−１０４は、携帯式に構成されたクライアントデバイスとして一般的に表すことができる。従って、モバイルデバイス１０２−１０４は、別のコンピュータデバイスに接続して情報を受信することができる実質的にあらゆる携帯式コンピュータデバイスを含むことができる。このようなデバイスは、セルラー電話、スマートフォン、ディスプレイポケットベル、無線周波数（ＲＦ）デバイス、赤外線（ＩＲ）デバイス、「携帯情報端末（ＰＤＡ）」、手持ち式コンピュータ、ラップトップコンピュータ、ウェアラブルコンピュータ、タブレットコンピュータ、及び上述のデバイスの１つ又はそれよりも多くを結合した統合デバイスなどのような携帯式デバイスを含む。従って、モバイルデバイス１０２−１０４は、一般的に、機能及び特徴の点から広範囲に及んでいる。例えば、携帯電話は、数字キーパッドと、文字だけを表示することができる数行の白黒のＬＣＤディスプレイとを有することができる。別の例では、ウェブ有効モバイルデバイスは、タッチセンサ式スクリーン、スタイラス、及び文字とグラフィックの両方を表示することができる数行のカラーＬＣＤディスプレイを有することができる。
【００１７】
ウェブ有効モバイルデバイスは、ウェブページ及びウェブベースのメッセージなどを受信及び送信するように構成されたブラウザアプリケーションを含むことができる。ブラウザアプリケーションは、無線アプリケーションプロトコルメッセージ（ＷＡＰ）などを含む実質的にあらゆるウェブベースの言語を用いて、グラフィック、テキスト、及びマルチメディアなどを受信及び表示するように構成することができる。一実施形態では、ブラウザアプリケーションは、メッセージを表示して送信するために、「手持ち式デバイスマークアップ言語（ＨＤＭＬ）」、「無線マークアップ言語（ＷＭＬ）」、ＷＭＬＳｃｒｉｐｔ、ＪａｖａＳｃｒｉｐｔ（登録商標）、「標準汎用マークアップ言語（ＳＭＧＬ）」、「ハイパーテキストマークアップ言語（ＨＴＭＬ）」、及び「ｅＸｔｅｎｓｉｂｌｅマークアップ言語（ＸＭＬ）」などを利用することができる。
【００１８】
モバイルデバイス１０２−１０４は、別のコンピュータデバイスからコンテンツを受信するように構成された少なくとも１つの他のクライアントアプリケーションを含むことができる。クライアントアプリケーションは、テキストコンテンツ、グラフィカルコンテンツ、及びオーディオコンテンツなどを提供及び受信する機能を含むことができる。クライアントアプリケーションは、種類、機能、及び名前などを含む自らを識別する情報を更に提供することができる。一実施形態では、モバイルデバイス１０２−１０４は、電話番号、「モバイル識別番号（ＭＩＮ）」、電子シリアル番号（ＥＳＮ）、又は他のモバイルデバイス識別子を含む広範な機構のいずれかを通じて自らを固有に識別することができる。情報は、モバイルデバイスを利用することができるコンテンツフォーマットを指示することができる。このような情報は、モバイルドメインプラットフォーム１０６、クライアントネットワークデバイス１０１、又は他のコンピュータデバイスに送られるメッセージなどで供給される。
【００１９】
モバイルデバイス１０２−１０４は、「ショートメッセージサービス（ＳＭＳ）」、「マルチメディアメッセージサービス（ＭＭＳ）」、インスタントメッセージ（ＩＭ）、インターネットリレーチャット（ＩＲＣ）、マルダム−ベイのＩＲＣ（ｍＩＲＣ）、及びＪａｂｂｅｒなどを通じて、モバイルドメインプラットフォーム１０６又はクライアントネットワークデバイス１０１などのような別のコンピュータデバイス間でメッセージを通信するように構成することができる。しかし、本発明は、これらのメッセージプロトコルに制限されず、実質的にあらゆる他のメッセージプロトコルを利用することができる。
【００２０】
モバイルデバイス１０２−１０４は、ＩＭセッションのような通信セッションにユーザが参加することを可能にするように更に構成することができる。従って、モバイルデバイス１０２−１０４は、クライアントデバイスに代わって様々なアクションを管理するように構成されたクライアントアプリケーションを含むことができる。例えば、クライアントアプリケーションにより、ユーザは、ブラウザアプリケーション、電子メールアプリケーション、ＩＭアプリケーション、及びＳＭＳアプリケーションなどと対話することができるようなる。
【００２１】
モバイルデバイス１０２−１０４は、モバイルドメインプラットフォーム１０６のような別のコンピュータデバイスによって管理されるエンドユーザアカウントにエンドユーザがログインすることを可能にするクライアントアプリケーションを含むように更に構成することができる。例えば、このようなエンドユーザアカウントは、エンドユーザが電子メールを受信し、ＩＭメッセージ、ＳＭＳメッセージを送信／受信し、又は選択されたウェブページにアクセスするなどができるように構成することができる。
【００２２】
クライアントネットワークデバイス１０１は、情報などを送信及び受信するためにネットワーク上で通信することができる実質的にあらゆるコンピュータデバイスを含むことができる。このようなデバイスの組は、パーソナルコンピュータ、マルチプロセッサシステム、ウェアラブルコンピュータ、マイクロプロセッサベース又はプログラマブル消費者電子機器、又はネットワークＰＣなどのような有線又は無線通信媒体を使用して一般的に接続するデバイスを含むことができる。
【００２３】
無線ネットワーク１１０は、モバイルデバイス１０２−１０４とその構成要素をネットワーク１０５に連結するように構成されている。無線ネットワーク１１０は、モバイルデバイス１０２−１０４に対してインフラストラクチャー指定接続を提供するために、独立型アドホックネットワークなどに更に重なることができる広範な無線サブネットワークのいずれかを含むことができる。このようなサブネットワークは、メッシュネットワーク、「無線ＬＡＮ（ＷＬＡＮ）」ネットワーク、及びセルラーネットワークなどを含むことができる。
無線ネットワーク１１０は、無線ラジオリンクなどによって接続した端末、ゲートウェイ、及びルータなどの自律システムを更に含むことができる。これらのコネクタは、無線ネットワーク１１０のトポロジーが急速に変わるように、自由かつランダムに移動して自らを任意に編成するように構成することができる。
【００２４】
無線ネットワーク１１０は、第２（２Ｇ）、第３（３Ｇ）世代、第４（４Ｇ）世代、第５（５Ｇ）世代、セルラーシステムのためのラジオアクセス、ＷＬＡＮ、ＷｉＭａｘ、及び「無線ルータ（ＷＲ）」メッシュなどを含む複数のアクセス技術を更に利用することができる。２Ｇ、３Ｇ、４Ｇ、５Ｇのようなアクセス技術及び将来のアクセスネットワークは、移動性の様々な程度を有するモバイルデバイス１０２−１０４のようなモバイルデバイスのワイドエリアを含むことができる。例えば、無線ネットワーク１１０は、「グローバル・システム・フォー・モバイル・コミュニケーション（ＧＳＭ）」、「汎用パケット・ラジオ・サービス（ＧＰＲＳ）」、「拡張データＧＳＭ環境（ＥＤＧＥ）」、「広帯域符号分割多元接続（ＷＣＤＭＡ）」、「ＣＤＭＡ  ２０００」、及び「ユニバーサル・モバイル・テレコミュニケーション・サービス（ＵＭＴＳ）」などのような無線ネットワークアクセスを通じた無線接続を可能にすることができる。基本的に、無線ネットワーク１１０は、モバイルデバイス１０２−１０４と別のコンピュータデバイス及びネットワークなどとの間で情報が移動することができる実質的にあらゆる無線通信機構を含むことができる。
【００２５】
ネットワーク１０５は、モバイルドメインプラットフォーム１０６及びその構成要素をモバイルデバイス１０２−１０４、クライアントネットワークデバイス１０１を含む他のコンピュータデバイスに、更に無線ネットワーク１１０を通じてモバイルデバイス１０２−１０４に連結するように構成されている。ネットワーク１０５は、１つの電子デバイスから別の電子デバイスに情報を通信するためのコンピュータ可読媒体のあらゆる形態を利用することができる。また、ネットワーク１０５は、ローカルエリアネットワーク（ＬＡＮ）、ワイドエリアネットワーク（ＷＡＮ）、ユニバーサルシリアルバス（ＵＳＢ）ポートなどを通じた直接接続、コンピュータ可読媒体の他の形態、又はこれらのあらゆる組合せに加えて「インターネット」を含むことができる。異なるアーキテクチャ及びプロトコルに基づくものを含むＬＡＮの相互接続した組では、ルータがＬＡＮ間のリンクとして働き、メッセージを一方から他方に送信することができる。ＬＡＮ内の通信リンクは、一般的に、ツイストペア線又は同軸ケーブルを含み、ネットワーク間の通信リンクは、アナログ電話回線、Ｔ１、Ｔ２、Ｔ３、及びＴ４を含む完全又は部分的専用デジタル回線、「統合デジタル通信サービス網（ＩＳＤＮ）」、「デジタル加入者回線（ＤＳＬ）」、衛星リンクを含む無線リンク、又は当業者に公知の他の通信リンクを利用することができる。更に、リモートコンピュータ及び他の関係のある電子デバイスは、モデム及び一時電話回線を通じてＬＡＮ又はＷＡＮのいずれかにリモートで接続することができる。基本的に、ネットワーク１０５は、モバイルプラットフォーム１０６、クライアントネットワークデバイス１０１、及び他のコンピュータデバイスなどの間を情報が移動することができるあらゆる通信方法を含む。
【００２６】
更に、通信媒体は、一般的に、コンピュータ可読命令、データ構造、プログラムモジュール、又は搬送波、データ信号、又は他のトランスポート機構のような変調データ信号内の他の信号を具現化し、かつあらゆる情報配信媒体を含む。「変調データ信号」及び「搬送波信号」という用語は、その特徴の組の１つ又はそれよりも多くを有するか又は信号内の情報、命令、データなどを符号化するような方法で変更された信号を含む。一例として、通信媒体は、ツイスト対、同軸ケーブル、光ファイバ、導波路、及び他の有線媒体のような有線媒体、及び音響、ＲＦ、赤外線、及び他の無線媒体のような無線媒体を含む。
【００２７】
モバイルコンピュータプラットフォーム１０６の一実施形態を図４に関して以下に更に詳しく説明する。しかし、簡単には、モバイルコンピュータプラットフォーム１０６は、モバイルデバイス１０２−１０４及びクライアントネットワークデバイス１０１との通信を可能にするためにネットワーク１０５に接続することができるあらゆるコンピュータデバイスを含むことができる。
モバイルコンピュータプラットフォーム１０６を可能にすることができるコンピュータデバイスは、パーソナルコンピュータ、デスクトップコンピュータ、マルチプロセッサシステム、マイクロプロセッサベース又はプログラマブル消費者電子機器、ネットワークＰＣ、サーバ、及びネットワークデバイスなどを含む。
図１は、モバイルコンピュータプラットフォーム１０６を単一のコンピュータデバイスとして示しているが、本発明は、これに制限されない。例えば、プラットフォーム１０６の１つ又はそれよりも多くの機能は、図３に示すように１つ又はそれよりも多くの別々のネットワークデバイスにわたって分散させることができる。
【００２８】
例示的なモバイルデバイス
図２は、本発明を実施するシステムに含むことができるモバイルデバイス２００の一実施形態を示している。モバイルデバイス２００は、図２に示されているものより多いか又は少ない構成要素を含むことができる。しかし、図示の構成要素は、本発明を実施するための例示的な実施形態を開示するには十分である。モバイルデバイス２００は、例えば、図１のモバイルデバイス１０２−１０４を表すことができる。
【００２９】
図に示すように、モバイルデバイス２００は、バス２２４を通じて大容量メモリ２３０と通信する処理ユニット（ＣＰＵ）２２２を含む。モバイルデバイス２００は、電源２２６、１つ又はそれよりも多くのネットワークインタフェース２５０、オーディオインタフェース２５２、ディスプレイ２５４、キーパッド２５６、照明器２５８、入力／出力インタフェース２６０、触覚インタフェース２６２、及び任意的なグローバルポジショニングシステム（ＧＰＳ）レシーバ２６４を含む。電源２２６は、モバイルデバイス２００に電力を供給する。電力を供給するために、充電式又は非充電式バッテリを使用することができる。電力は、バッテリを補い及び／又は充電するＡＣアダプタ又は給電ドッキングクレードルのような外部電源によっても供給することができる。
【００３０】
モバイルデバイス２００は、任意的に、基地局（図示せず）と通信するか、又は別のコンピュータデバイスと直接に通信することができる。ネットワークインタフェース２５０は、１つ又はそれよりも多くのネットワークにモバイルデバイス２００を連結するための回路を含み、以下に限定されるものではないが、グローバル・システム・フォー・モバイル・コミュニケーション（ＧＳＭ）、符号分割多元接続（ＣＤＭＡ）、時分割多元接続（ＴＤＭＡ）、ユーザデータグラムプロトコル（ＵＤＰ）、送信制御プロトコル／「インターネット」プロトコル（ＴＣＰ／ＩＰ）、ＳＭＳ、汎用パケット・ラジオ・サービス（ＧＰＲＳ）、ＷＡＰ、ウルトラワイドバンド（ＵＷＢ）、「ＩＥＥＥ  ８０２．１６  ワールドワイド・インターオペラビリティ・フォー・マイクロウェーブ・アクセス（ＷｉＭａｘ）」、ＳＩＰ／ＲＴＰ、又は広範な他の無線通信プロトコルのいずれかを含む１つ又はそれよりも多くの通信プロトコル及び技術と共に使用することができるように構成されている。ネットワークインタフェース２５０は、送受信機、送受信デバイス、又はネットワークインタフェースカード（ＮＩＣ）として時に公知である。
【００３１】
オーディオインタフェース２５２は、人間の声の音のような音声信号を生成して受信するように準備されている。例えば、オーディオインタフェース２５２は、他者と通信する及び／又は何らかのアクションに対する音声肯定応答を生成することができるようにスピーカ及びマイクロフォン（図示せず）に連結することができる。ディスプレイ２５４は、液晶ディスプレイ（ＬＣＤ）、ガスプラズマ、発光ダイオード（ＬＥＤ）、又はコンピュータデバイスと共に使用されるディスプレイのあらゆる他の種類とすることができる。ディスプレイ２５４は、スタイラス又は人間の手の指のような物体から入力を受け取るように準備されたタッチセンサ式スクリーンを含むことができる。
【００３２】
キーパッド２５６は、ユーザから入力を受け取るように準備されたあらゆる入力デバイスを含むことができる。例えば、キーパッド２５６は、プッシュボタン数字ダイヤル又はキーボードを含むことができる。キーパッド２５６は、画像の選択及び送信に関連付けられる指令ボタンを含むことができる。照明器２５８は、ステータス指示を供給することができ、及び／又は光を供給することができる。照明器２５８は、特定の期間又はイベントに応答してアクティブのままにすることができる。例えば、照明器２５８がアクティブである場合、キーパッド２５６上のボタンを背面照明することができ、クライアントデバイスが給電されている間維持することができる。また、照明器２５８は、別のクライアントデバイスにダイヤルするなどの特定のアクションが行われる場合に様々なパターンでこれらのボタンを背面照明することができる。照明器２５８は、アクションに応答して、クライアントデバイスの透明又は半透明のケース内に位置決めされた光源を光らせることができる。
【００３３】
モバイルデバイス２００は、ヘッドセットのような外部デバイス、又は図２に示されていない他の入力又は出力デバイスと通信するための入力／出力インタフェース２６０を含む。入力／出力インタフェース２６０は、ＵＳＢ、赤外線、又は「Ｂｌｕｅｔｏｏｔｈ（登録商標）」などのような１つ又はそれよりも多くの通信技術を利用することができる。触覚インタフェース２６２は、触知性フィードバックをクライアントデバイスのユーザに供給するように準備されている。例えば、触覚インタフェースは、コンピュータデバイスの別のユーザが電話をかけてきた場合に特定の方法でモバイルデバイス２００を振動させるために利用することができる。
【００３４】
任意的なＧＰＳ送受信機２６４は、地球表面上のモバイルデバイス２００の物理座標を判断することができ、一般的に緯度及び経度値としてロケーションを出力する。ＧＰＳ送受信機２６４は、地球表面上のモバイルデバイス２００の物理的ロケーションを更に判断するために、以下に限定されるものではないが、三角測量、支援ＧＰＳ（ＡＧＰＳ）、Ｅ−ＯＴＤ、ＣＩ、ＳＡＩ、ＥＴＡ、又はＢＳＳなどを含む他のジオ−ポジショニング機構を利用することができる。様々な条件下で、ＧＰＳ送受信機２６４は、モバイルデバイス２００の物理ロケーションをミリメートル以内で判断することができ、かつ他の場合には、判断された物理ロケーションは、メートル又はかなり離れた距離内などではあまり正確でなくなる可能性があることは理解される。しかし、一実施形態では、モバイルデバイスは、他の構成要素を通じて、例えば、ＭＡＣアドレス又はＩＰアドレスなどを含むデバイスの物理ロケーションを判断するのに利用することができる他の情報を提供することができる。
【００３５】
大容量メモリ２３０は、ＲＡＭ２３２、ＲＯＭ２３４、及び他の記憶手段を含む。大容量メモリ２３０は、コンピュータ可読命令、データ構造、プログラムモジュール、又は他のデータのような情報の記憶のためのコンピュータ記憶媒体の別の例を示している。大容量メモリ２３０は、モバイルデバイス２００の低レベル作動を制御するための基本入力／出力システム（ＢＩＯＳ）２４０を記憶する。大容量メモリは、モバイルデバイス２００の作動を制御するためのオペレーティングシステム２４１も記憶する。この構成要素は、ＵＮＩＸ（登録商標）又はＬＩＮＵＸ（登録商標）のある一定のバージョンのような汎用オペレーティングシステム、又は「Ｗｉｎｄｏｗｓ  Ｍｏｂｉｌｅ（登録商標）」のような専用クライアント通信オペレーティングシステム、又はＳｙｍｂｉａｎ（登録商標）オペレーティングシステムを含むことができることが認められるであろう。オペレーティングシステムは、Ｊａｖａ（登録商標）アプリケーションプログラムを通じてハードウエア構成要素及び／又はオペレーティングシステム作動の制御を可能にするＪａｖａ（登録商標）仮想機械モジュールを含むことができ、又はこれに接続することができる。
【００３６】
メモリ２３０は、とりわけ、アプリケーション２４２及び／又は他のデータを記憶するためにモバイルデバイス２００によって利用される１つ又はそれよりも多くのデータ記憶装置２４４を更に含む。例えば、データ記憶装置２４４は、モバイルデバイス２００の様々な機能を説明する情報を記憶するために利用することができる。次に、この情報は、通信中にヘッダの一部として送信される又は要求時に送信されるなどを含む広範なイベントのいずれかに基づいて、別のデバイスに供給される。
【００３７】
アプリケーション２４２は、モバイルデバイス２００によって実行された場合、テキストメッセージ、オーディオ、ビデオを送信、受信、及び／又はそうでなければ処理し、別のクライアントデバイスの別のユーザとの通信を可能にするコンピュータ実行可能命令を含むことができる。アプリケーションプログラムの他の例は、カレンダー、ブラウザ、ＶＯＩＰアプリケーション、コンタクトマネージャ、タスクマネージャ、トランスコーダ、データベースプログラム、ワードプロセッシングプログラム、セキュリティアプリケーション、スプレッドシートプログラム、ゲーム、及び検索プログラムなどを含む。テキストメッセージングアプリケーション２４５は、以下に限定されるものではないが、「ショートメッセージサービス（ＳＭＳ）」、「マルチメディアメッセージサービス（ＭＭＳ）」、インスタントメッセージ（ＩＭ）、インターネットリレーチャット（ＩＲＣ）、マルダム−ベイのＩＲＣ（ｍＩＲＣ）、Ｊａｂｂｅｒ、及び「警報」などを含む１つ又はそれよりも多くのメッセージングアプリケーションを有効にするための構成要素を含むことができる。
【００３８】
例示的なネットワークデバイス
図３は、本発明の一実施形態によるネットワークデバイスの一実施形態を示している。ネットワークデバイス３００は、図示のものより多くの構成要素を含むことができる。しかし、図示の構成要素は、本発明を実施するための例示的な実施形態を開示するには十分である。ネットワークデバイス３００は、例えば、図１のクライアントネットワークデバイス１０１及び／又はモバイルドメインプラットフォーム１０６を表すことができる。
【００３９】
ネットワークデバイス３００は、バス３２２を通じて全てが互いに通信する処理ユニット３１２、ビデオディスプレイアダアプタ３１４、及び大容量メモリを含む。大容量メモリは、一般的に、ＲＡＭ３１６、ＲＯＭ３３２、及びハードディスクドライブ３２８、テープドライブ、光ドライブ、及び／又はフロッピー（登録商標）ディスクドライブのような１つ又はそれよりも多くの永久大容量記憶デバイスを含む。大容量メモリは、ネットワークデバイス３００の作動を制御するためのオペレーティングシステム３２０を記憶する。あらゆる汎用オペレーティングシステムも利用することができる。基本入力／出力システム（ＢＩＯＳ）３１８は、ネットワークデバイス３００の低レベル作動を制御するために設けられる。図３に示すように、ネットワークデバイス３００は、ＴＣＰ／ＩＰプロトコルを含む様々な通信プロトコルと共に使用することができるように構成されたネットワークインタフェースユニット３１０を通じて「インターネット」又は何らかの他の通信ネットワークと通信することができる。ネットワークインタフェースユニット３１０は、送受信機、送受信デバイス、又はネットワークインタフェースカード（ＮＩＣ）として時に公知である。
【００４０】
上述の大容量メモリは、コンピュータ可読媒体の別の種類、すなわち、コンピュータ記憶媒体を示している。コンピュータ記憶媒体は、コンピュータ可読命令、データ構造、プログラムモジュール、又は他のデータのような情報の記憶のためのあらゆる方法又は技術において実施される揮発性、不揮発性、取外し可能、及び取外し不能の媒体を含むことができる。コンピュータ記憶媒体の例は、ＲＡＭ、ＲＯＭ、ＥＥＰＲＯＭ、フラッシュメモリ又は他のメモリ技術、ＣＤ−ＲＯＭ、デジタル多機能ディスク（ＤＶＤ）又は他の光記憶装置、磁気カセット、磁気テープ、磁気ディスク記憶装置又は他の磁気記憶デバイス、又は要求された情報を記憶するために使用できコンピュータデバイスによってアクセス可能なあらゆる他の媒体を含む。
【００４１】
大容量メモリは、プログラムコード及びデータを記憶する。１つ又はそれよりも多くのアプリケーション３５０は、大容量メモリにロードされ、オペレーティングシステム３２０上で実行される。アプリケーションプログラムの例は、トランスコーダ、スケジューラー、カレンダー、データベースプログラム、ワードプロセッシングプログラム、ＨＴＴＰプログラム、カスタマイズ可能ユーザインタフェースプログラム、ＩＰＳｅｃアプリケーション、暗号化プログラム、セキュリティプログラム、「仮想私設ネットワーク（ＶＰＮ）」プログラム、ＳＭＳメッセージサーバ、ＩＭメッセージサーバ、電子メールサーバ、及びアカウント管理などを含むことができる。一実施形態では、ネットワークデバイス３００は、図１のモバイルドメインプラットフォーム１０６と幾らか類似の方式で２つ又はそれよりも多くのネットワークデバイスに含まれるその構成要素の１つ又はそれよりも多くと共に作動可能なように準備されたサーバモバイルドメインプラットフォーム３５２を含む。別の実施形態では、クライアントモバイルドメインプラットフォーム３５４は、図１に示すようにクライアントネットワークデバイス１０１のためのアプリケーションプログラムとして準備することができる。
【００４２】
例示的なモバイルドメインプラットフォーム
図４は、少なくとも１つの下位構成要素を含む少なくとも５つの主構成要素によって準備された例示的なモバイルドメインプラットフォームのブロック図を示し、これらの５つの構成要素は、メッセージコア４０６、アプリケーションコア４１２、加入者配信４２０、請求サブシステム４２４、及び加入者管理４２６を含む。この５つの構成要素は、モバイルドメインプラットフォームに対応するモバイル番号（ショートコード又はそれ以外）に送られるユーザからのテキストメッセージを受信及び処理するように準備されている。受信テキストメッセージの処理コンテンツは、テキストメッセージに含まれる少なくとも１つのキーワードを登録している加入者に転送される。一般的に、モバイルドメインプラットフォームは、モバイルドメインプラットフォームによって同時にアクションを実行する複数の加入者及び複数のユーザのために準備されている。更に、モバイルドメインプラットフォームの主な構成要素の各々の作動を以下に更に詳しく説明する。
【００４３】
メッセージコア４０６は、モバイルドメインプラットフォームに対応するモバイル番号にモバイルネットワークゲートウェイ４０２を通じてユーザ４００によって送られたテキストメッセージをメッセージレシーバ４０８で受信するように準備された主構成要素である。メッセージレシーバ４０６は、テキストメッセージを受信し、以下に限定されるものではないが、メッセージのコンテンツに関するキーワードの階層の構文解析、フィルタリング、及び評価を含む１つ又はそれよりも多くの作動を実行するように準備された下位構成要素である。レシーバ４０６は、メッセージコンテンツをトークン化し、加入者がメッセージに含まれたキーワードの制御に対して登録されていると判断された場合に、トークン化されたコンテンツを確認する。確認されてトークン化されたコンテンツは、別の下位構成要素４１０に渡され、加入者事前定義の規則及び／又はアプリケーションが、受信したメッセージに対して識別される。メッセージコア４０６は、加入者によって定義されたキャンペーン、キーワード階層、及び受信したメッセージの処理を一般的に高速化する他のアクションのキャッシュを容易にする。更に、メッセージコア４０６により、モバイルドメインプラットフォームは、ユーザ４００に送られるテキストメッセージの形式で応答を提供することができるようなり、応答メッセージのコンテンツは、ユーザから受信したオリジナルのテキストメッセージのコンテンツに少なくとも一部基づいている。
【００４４】
アプリケーションコア４１２は、受信テキストメッセージにおける確認されてトークン化されたキーワードに対応するキャンペーンに対する加入者の事前定義アプリケーション及び規則を処理するように準備された別の主構成要素である。一般的に、アプリケーションコア４１２は、モバイルドメインプラットフォームの作動への付加的な変更を行う必要なしに、更新された対話、アプリケーション、及び／又は既存の又は新しいキャンペーンに対する配信アクションに接続するための加入者に対する一般フレームワークを提供する。
【００４５】
更に、加入者は、受信テキストメッセージのコンテンツを処理するためのカスタムアプリケーション又は処理された結果に対する加入者へのカスタム配信アクションの少なくとも一方を作成するために、ＡＰＩ及び／又はプラットフォーム「仕様」を利用することができる。アプリケーションコア４１２は、これらの加入者更新、カスタマイズされたアプリケーション、及び／又はカスタマイズされた配信アクションを、これらが、以下に限定されるものではないが、ＸＭＬ、ＡＰＩ命令、及び「拡張可能スタイルシート言語変換（ＸＳＬＴ）」などを含む１つ又はそれよりも多くの様々な方法で提供される場合にも処理することができる。
【００４６】
アプリケーションコア４１２では、下位構成要素４１４は、関連のアクション、アプリケーション、対話、及び受信テキストメッセージのコンテンツのリアルタイム処理の少なくとも一部の実行を可能にする。下位構成要素４１６は、加入者によって事前に選択された配信アクションにも依存する可能性がある時間及び／又は量に基づいてバッチ及びバルク処理を可能にする。更に、アプリケーションコア４１２は、加入者への１つ又はそれよりも多くの方法による配信のためにテキストメッセージコンテンツを準備する。
【００４７】
加入者配信構成要素４２０は、アプリケーションコア構成要素４１２と通信し、加入者への配信に対して識別された１つ又はそれよりも多くのテキストメッセージの準備されたコンテンツを受信するように準備されている。配信デーモン４１８は、加入者にテキストメッセージコンテンツを配信するように準備された複数のアダプタを管理するように準備された下位構成要素である。これらのアダプタは、以下に限定されるものではないが、電子メール、ファックス、ＳＭＳ、ＭＭＳ、ＦＴＰ、ＩＭ、ＲＳＳ、及びウェブページ上の更新される情報などを含む配信機構のための更に別の下位構成要素を含む。加入者配信構成要素４２０は、各配信機構に対する１つ又はそれよりも多くのキューを可能にし、以下に限定されるものではないが、優先度及び重要度を含む様々な要素に基づいて配信の適時性に対して準備することができる。加入者配信構成要素４２０は、特定の加入者にテキストメッセージコンテンツを配信する場合に発生するコストの判断を可能にするために全て使用することができるログ、ステータス、使用、及び／又はメトリクスを含む配信に関する情報を収集する。更に、加入者配信構成要素４２０は、加入者がモバイルドメインプラットフォームの作動に付加的な変更を行う必要なく、新しい又は既存の配信チャンネルを更新することを可能にする少なくとも１つのＡＰＩをサポートする。
【００４８】
加入者請求構成要素４２４は、行われた支払い、テキストメッセージコンテンツを処理して転送するのに発生した費用、請求プラン、及びディスカウントなどに少なくとも一部基づいて、加入者に対する勘定残高を解消するように準備されている。構成要素４２４は、以下に限定されるものではないが、定額料金、ホストされる加入者アプリケーションの数、地理、加入者に対して処理される受信テキストメッセージの数を含む複数の請求プランをサポートすることができる。また、様々なコストは、以下に限定されるものではないが、ファックス、電子メール、警報、ＳＭＳ、ＭＭＳ、ＲＳＳ、及びウェブページ更新などを含む様々な配信アクションに対して発生させることができる。加入者請求構成要素４２４は、勘定残高のリアルタイム及び／又はバッチ処理を可能にするために、請求デーモン下位構成要素４２３のような少なくとも１つの下位構成要素を利用する。更に、構成要素４２４は、プリペイドリテーナが低くなり、及び／又は所定の勘定残高に達した場合、警報及びメッセージなどを加入者に提供するように指示することができる。
【００４９】
加入者管理構成要素４２６は、少なくとも１人の加入者４４８、例えば、プロデューサー、取引相手、広告代理店、及び企業などとネットワーク４５０を通じて通信するように準備されている。ネットワーク４５０は、上述の図１に関して説明したネットワークの１つ又はそれよりも多くを含むように準備することができる。また、構成要素４２６は、以下に限定されるものではないが、ウェブインタフェース及び指令ラインインタフェースなどを含む１つ又はそれよりも多くのユーザインタフェースを有効にすることができる。
【００５０】
ユーザログイン下位構成要素４２８は、少なくとも加入者がモバイルドメインプラットフォームにアクセスして加入者の認証を提供することを可能にするように準備されている。役割定義下位構成要素４３０も、少なくとも部分的に、各認証された加入者に対するアカウント特権及び役割を管理するように準備されている。各加入者のプロフィールは、一般的に、加入者管理目的のために作成及び維持される。ドメイン検索下位構成要素４３２は、加入者が制御するために利用可能なキーワードを加入者が検索することを可能にするように更に準備されている。ドメイン登録下位構成要素４３４は、加入者の利益のために制御することができるモバイルドメインとして少なくとも１つの選択されたキーワードの制御を加入者が登録することを可能にするように作動可能である。アプリケーション定義下位構成要素４３６は、制御された／加入者に対して登録された１つ又はそれよりも多くのキーワードをコンテンツが含む受信テキストメッセージの処理のためにモバイルドメインプラットフォームによってホストされた１つ又はそれよりも多くのアプリケーションを加入者が定義することを可能にするように作動可能である。規則定義下位構成要素４３８は、受信テキストメッセージの処理に加えられる１つ又はそれよりも多くの規則を加入者が定義することを可能にするように更に作動可能である。更に、規則及びアプリケーションは、ポーリング、コンテスト、販売リード、既知のユーザのためのロイヤリティインセンティブ、及び新しい又は既存のユーザへのデジタルクーポンのようなキャンペーンの種類に少なくとも一部基づいて加入者によって一般的に定義されることは理解される。
【００５１】
配信アクション定義下位構成要素４４０は、優先度及びキャンペーンの種類などに少なくとも一部基づいて、受信テキストメッセージに対して上述の配信機構を加入者が定義することを可能にするように準備されている。請求下位構成要素４４２は、請求プラン及びアカウント費用概要などのような金融情報を加入者に提供するように更に準備されている。また、この金融情報の少なくとも一部は、下位構成要素４４２のための加入者請求構成要素４２４によって事前に処理される。
【００５２】
報告下位構成要素４４４は、アプリケーション、規則、及び／又は配信アクションの様々な態様の適切な評価及び一般的な有効性のような少なくとも１つのキャンペーンに関する少なくとも１つのレポートを加入者に提供するように準備されている。更に、下位構成要素４４４は、リアルタイムで、定期的に、及び／又は進行中のキャンペーン中のバッチで加入者にレポートを提供するように準備することができる。レポート情報に少なくとも一部基づいて、加入者は、進行中のキャンペーンを修正することができる。例えば、特定のサブドメインキーワード、アプリケーション、規則、及び／又は配信アクションが、１つ又はそれよりも多くのキャンペーンにおいてユーザにより一般的なものとしてレポートによって識別された場合、加入者は、少なくとも１つの一般的な特徴をプロモートするために少なくとも１つの進行中のキャンペーンを引き続いて修正することができる。
【００５３】
メッセージ受信箱下位構成要素４４６は、加入者とモバイルドメインプラットフォーム間で通信されるテキストメッセージを管理するように更に準備されている。
更に、データ記憶装置４２２は、ユーザ間及び加入者のモバイルドメインプラットフォームへの通信の管理、請求、及び処理を可能にするために、各構成要素が１つ又はそれよりも多くのデータベースを記憶してアクセスすることを可能にする。
【００５４】
例示的な流れ図
図５は、加入者が、キャンペーンに対するモバイルドメインキーワードの制御を取得し、キャンペーンが、モバイルドメインプラットフォームによって管理される方法を定義する処理の概略の流れ図を示している。開始ブロックから移動して、処理は、ブロック５０２に進み、加入者がモバイルドメインプラットフォームの加入者管理構成要素にログオンする。ブロック５０４で、処理により、加入者は、登録に利用可能なモバイルドメインキーワードを検索することができる。加入者は、加入者に関連付けられたキャンペーンに対して選択されたモバイルドメインキーワードを登録することができる。
【００５５】
ブロック５０６に移動し、処理によって、加入者は、加入者に対して登録されたルートモバイルドメインキーワードに基づく１つ又はそれよりも多くのキーワードの階層を作成して定義することができる。ブロック５０８に進んで、処理によって、加入者は、１つ又はそれよりも多くのカスタムアプリケーションを作成して定義し、及び／又は登録されたモバイルドメインキーワードを含む受信テキストメッセージを処理する提供されたアプリケーションに対して定義されたアクションを構成することができる。ブロック５１０に進んで、処理によって、加入者は、カスタム規則を作成するか、又は登録されたキーワードを含むテキストメッセージコンテンツに対する定義されたカスタムの及び／又は提供されたアプリケーションによる処理を定義する提供された規則を構成することができる。加入者は、登録されたキーワードを含むテキストメッセージコンテンツのためのカスタム配信規則及びカスタム配信機構を作成及び定義することができる。加入者は、登録されたキーワードを含むテキストメッセージコンテンツのための提供された配信規則及び提供された配信機構を定義することができる。次に、処理は、他のアクションの実行に戻る。
【００５６】
図６は、加入者に対して登録されたモバイルドメインキーワードを含む受信テキストメッセージをモバイルドメインプラットフォームが処理する処理の概要の流れ図を示している。開始ブロックから移動して、処理は、ブロック６０２に進み、ユーザからのテキストメッセージが、ゲートウェイからのモバイルドメインプラットフォームによって受信される。テキストメッセージは、モバイルドメインプラットフォームに対応するモバイル番号（ショートコード又はそれ以外）にユーザによって送られる。ブロック６０４で、モバイルドメインプラットフォームは、登録されたモバイルドメインキーワードを識別するために受信テキストメッセージを処理する。識別された場合、プラットフォームは、登録されたモバイルドメインキーワードを含む受信テキストメッセージのコンテンツを処理するためにアプリケーション及び規則を利用する。ブロック６０６に進んで、処理は、加入者によって所定の１つ又はそれよりも多くの配信アクションに基づいて加入者にモバイルドメインプラットフォーム処理の結果を提供する。次に、処理は、他のアクションを実行する段階に移る。
【００５７】
図７は、加入者に対して登録された少なくとも１つのモバイルドメインキーワードを含む受信テキストメッセージの処理の概要を示す別の流れ図を示している。開始ブロックから移動して、処理は、ブロック７０２に流れ、加入者に対して登録された少なくとも１つのモバイルドメインキーワードを含むテキストメッセージが、モバイルドメインプラットフォームによって受信される。ブロック７０４で、受信テキストメッセージに関連付けられたコンテンツ及び情報は、１つ又はそれよりも多くのトークンに構文解析及び濾過される。
【００５８】
ブロック７０６に進んで、トークンを処理するための１つ又はそれよりも多くのアプリケーションが識別される。ブロック７０８で、アプリケーションを呼び出すための規則が評価され、アクションが識別される。ブロック７１０に流れて、トークン化されたテキストメッセージが、識別されたアクション、規則、及びアプリケーションに従って処理される。ブロック７１２に移って、処理の結果が準備され、１つ又はそれよりも多くの定義された配信アクション及び配信機構によって登録された加入者に提供することができるフォーマットで準備される。次に、処理は、他のアクションを実行する段階に戻る。
【００５９】
図８は、受信テキストメッセージに含まれたモバイルドメインキーワードの登録を制御する加入者に対応するアプリケーション、規則、及びアクションの評価の概要を表示する別の流れ図を示している。開始ブロックから移動して、処理は、判断ブロック８００に流れ、登録されたモバイルドメインキーワードに対応するアプリケーションが識別されるか否かに関して判断が行われる。識別されなかった場合、処理は、真になるまでループする。しかし、このようなアプリケーションが識別された状態では、処理は、判断ブロック８０２に移り、アプリケーションが対話式であるか否かに関して判断が行われる。真である場合、処理は、ブロック８０４に進み、ステートマシンがロードされ、登録されたモバイルドメインキーワードをコンテンツが含むテキストメッセージを送ったユーザと対話するためのセッションが開始される。応答テキストメッセージが、モバイルドメインプラットフォームによってユーザに送られる。次に、ステートマシンが、ユーザとのテキストメッセージの通信を処理し続ける場合には、処理は、他のアクションの処理に戻る。
【００６０】
代替的に、アプリケーションが対話式でないと判断ブロック８０２の判断が指示した場合、処理は、ブロック８０８に流れ、アプリケーションの評価に関連付けられた規則が識別される。ブロック８１０で、テキストメッセージのコンテンツの点からアプリケーションを評価するのに利用可能な特定の規則を識別するために規則エンジンが呼び出される。ブロック８１２に流れて、処理は、少なくとも１つのアプリケーションがテキストメッセージコンテンツを処理することを可能にするのに利用可能な規則に関連付けられたアクションの組を検索する。ブロック８１４に進んで、利用可能な規則及びアクションの組がキャッシュに入れられる。次に、処理は、他のアクションを実行する段階に戻る。
【００６１】
上述の例示的な流れ図の各ブロック及び例示的な流れ図におけるブロックの組合せは、コンピュータプログラム命令によって実施することができることが理解されるであろう。これらのプログラム命令は、プロセッサで実行される命令が１つ又は複数の流れ図ブロックに指定されたアクションを実施するための手段を作成するように機械を生成するためにプロセッサに提供することができる。コンピュータプログラム命令は、プロセッサで実行される命令が１つ又は複数の流れ図ブロックに指定されたアクションを実施するための段階を供給することを可能にするようにコンピュータ実行処理を生成するために、プロセッサによって一連の作動段階が行われるようにプロセッサによって実行することができる。
【００６２】
従って、流れ図のブロックは、指定されたアクションを実行するための手段の組合せ、指定されたアクションを実行するための段階の組合せ、及び指定されたアクションを実行するためのプログラム命令手段をサポートする。流れ図の各ブロックと流れ図におけるブロックの組合せとは、指定されたアクション又は段階を実行する専用ハードウエアベースシステム、又は専用ハードウエア及びコンピュータ命令の組合せによって実施することができることも理解されるであろう。
【図面の簡単な説明】
【００６３】
【図１】例示的な作動環境を示す図である。
【図２】モバイルデバイスの一実施形態を示す図である。
【図３】ネットワークデバイスの一実施形態を示す図である。
【図４】モバイルドメインプラットフォームの概略を示すブロック図である。
【図５】モバイルドメインキーワードの取扱を加入者が選択、登録、及び定義するための処理を示す流れ図である。
【図６】登録されたモバイルドメインキーワードを含むテキストメッセージを取り扱うための処理を示す流れ図である。
【図７】登録されたモバイルドメインキーワードを含む受信テキストメッセージがどのように処理されるかを示す流れ図である。
【図８】本発明によりユーザから受信テキストメッセージに含まれた登録されたモバイルドメインキーワードを処理する対話式及び非対話式アプリケーションの処理を示す流れ図である。
【符号の説明】
【００６４】
１００  システム
１０１  クライアントネットワークデバイス
１０６  「モバイルドメイン」プラットフォーム
１１０  無線ネットワーク
【図１】
2009540472.tif 000003
【図２】
2009540472.tif 000004
【図３】
2009540472.tif 000005
【図４】
2009540472.tif 000006
【図５】
2009540472.tif 000007
【図６】
2009540472.tif 000008
【図７】
2009540472.tif 000009
【図８】
2009540472.tif 000010
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
ユーザとプラットフォームへの加入者との間で通信されるテキストメッセージを管理する方法であって、
プラットフォームに対応するモバイル番号にユーザによって送られた各テキストメッセージを受信する段階と、
前記プラットフォームによって加入者に対して登録された少なくとも１つのキーワードを含む各テキストメッセージを判断する段階と、
少なくとも１つの登録されたキーワードを含む各テキストメッセージに含まれたコンテンツを前記プラットフォームが処理することを可能にし、少なくとも１つの登録されたキーワードを有する各テキストメッセージに含まれた該コンテンツの別々の処理は、各対応する加入者によって所定のものである段階と、
少なくとも１つの登録されたキーワードを含む少なくとも１つのテキストメッセージに含まれたコンテンツの処理からの少なくとも１つの結果の前記対応する加入者への少なくとも１つの配信アクションを有効にし、各配信アクションが、登録された加入者によって判断可能である段階と、
を含むことを特徴とする方法。
【請求項２】
前記加入者が、少なくとも１つの利用可能なキーワードを検索し、該少なくとも１つの利用可能なキーワードを前記プラットフォームに登録することを可能にする段階と、
前記加入者に対して登録された少なくとも１つのキーワードを含む各受信テキストメッセージを処理するための少なくとも１つのアプリケーションを該加入者が定義することを可能にする段階と、
前記加入者に対して登録された少なくとも１つのキーワードを含む各受信テキストメッセージを処理するための少なくとも１つの規則を該加入者が定義することを可能にする段階と、
を更に含むことを特徴とする請求項１に記載の方法。
【請求項３】
少なくとも１つのテキストメッセージに含まれたコンテンツの処理からの前記結果を配信するための１つ又はそれよりも多くの提供された配信機構又は１つ又はそれよりも多くの提供された配信規則を前記加入者が定義することを可能にする段階を更に含み、
前記配信機構は、電話呼び出し、電子メール、警報、「インスタントメッセージ（ＩＭ）」、「リアリー・シンプル・シンジケーション（ＲＳＳ）」フィード、「ファイル転送プロトコル（ＦＴＰ）」、「ショートメッセージサービス（ＳＭＳ）」、「マルチメディアメッセージサービス（ＭＭＳ）」、チャット、又はウェブページ更新のうちの少なくとも１つを含む、
ことを特徴とする請求項１に記載の方法。
【請求項４】
前記加入者に対して登録された少なくとも１つのキーワードに基づいて前記加入者がドメインを定義することを可能にし、該加入者は、該登録されたキーワードを該ドメインに対するルートとして識別する段階と、
前記ルートキーワードと組み合わせて準備された少なくとも１つの他のキーワードに基づいて少なくとも１つのサブドメインの階層を前記加入者が定義することを可能にする段階と、
前記ルート登録キーワードと前記少なくとも１つの他のキーワードとの前記組合せによって定義された前記サブドメインを少なくとも含むテキストメッセージコンテンツに基づいて各サブドメインの処理を前記加入者が別に定義することを可能にする段階と、
を更に含むことを特徴とする請求項１に記載の方法。
【請求項５】
キャンペーンのための登録に対して利用可能な特定のキーワードを含む前記受信テキストメッセージの各インスタンスに対して各加入者が動的に入札することを可能にする段階を更に含むことを特徴とする請求項１に記載の方法。
【請求項６】
前記動的入札は、更に、期間又は資金額のうちの少なくとも一方に関して前記加入者によって定義されることを特徴とする請求項５に記載の方法。
【請求項７】
ある一定の期間のキャンペーンのための少なくとも１つの利用可能なキーワードの登録に対して各加入者が入札することを可能にする段階を更に含むことを特徴とする請求項１に記載の方法。
【請求項８】
前記登録されたキーワードをオンライン検索に対する結果に含めることを可能にする段階を更に含み、
前記オンライン検索結果は、前記登録キーワードを有する少なくとも１つのテキストメッセージを前記プラットフォームに対応する前記モバイル番号に送信することによって更に別の情報を取得する少なくとも１つの命令を含む、
ことを特徴とする請求項１に記載の方法。
【請求項９】
利用可能なキーワードに対する登録商標の所有者として前記プラットフォームに対して識別された各加入者が、唯一そのキーワードをキャンペーンに対して登録することを有効にされることを可能にする段階を更に含むことを特徴とする請求項１に記載の方法。
【請求項１０】
前記処理されたコンテンツは、前記登録された加入者によって換金可能な少なくとも１つのクーポンの表示を含むことを特徴とする請求項１に記載の方法。
【請求項１１】
ユーザと加入者の間で通信されるテキストメッセージを管理するためのシステムであって、
ネットワークと、
サーバに対応するモバイル番号にユーザがテキストメッセージを送信することを可能にするクライアントと、
を含み、
前記サーバは、
前記サーバによって前記加入者に対して登録された少なくとも１つのキーワードを含む各テキストメッセージを判断する段階と、
少なくとも１つの登録されたキーワードを含む各テキストメッセージに含まれたコンテンツを処理し、少なくとも１つの登録キーワードを有する各テキストメッセージに含まれた該コンテンツの別々の処理は、各対応する加入者による所定のものである段階と、
少なくとも１つの登録キーワードを含む少なくとも１つのテキストメッセージに含まれたコンテンツの処理からの少なくとも１つの結果の、各アクションが前記登録加入者によって判断可能である前記対応する加入者への少なくとも１つの配信アクションを有効にする段階と、
を含むアクションを有効にする、
ことを特徴とするシステム。
【請求項１２】
前記サーバは、キャンペーンのための登録に対して利用可能な特定のキーワードを含む前記受信テキストメッセージの各インスタンスに対して各加入者が動的に入札することを可能にする段階を含む更に別のアクションを有効にすることを特徴とする請求項１１に記載のシステム。
【請求項１３】
ある一定の期間のキャンペーンのための少なくとも１つの利用可能なキーワードの登録に対して各加入者が入札することを可能にする段階を更に含むことを特徴とする請求項１１に記載のシステム。
【請求項１４】
前記サーバは、前記登録されたキーワードをオンライン検索に対する結果に含めることを可能にする段階を含む更に別のアクションを有効にし、
前記オンライン検索結果は、前記登録キーワードを有する少なくとも１つのテキストメッセージを前記サーバに対応する前記モバイル番号に送信することによって更に別の情報を取得する少なくとも１つの命令を含む、
ことを特徴とする請求項１１に記載のシステム。
【請求項１５】
ユーザと加入者の間で通信されるテキストメッセージを管理するためのサーバであって、
ネットワーク上で通信するための第１の構成要素と、
プラットフォームに対応するモバイル番号にユーザによって送られた各テキストメッセージを受信するための第２の構成要素と、
前記プラットフォームによって加入者に対して登録された少なくとも１つのキーワードを含む各テキストメッセージを判断するための第３の構成要素と、
少なくとも１つの登録されたキーワードを含む各テキストメッセージに含まれたコンテンツを前記プラットフォームが処理することを可能にし、かつ少なくとも１つの登録されたキーワードを有する各テキストメッセージに含まれた該コンテンツの別々の処理が、各対応する加入者によって所定のものである第４の構成要素と、
少なくとも１つの登録されたキーワードを含む少なくとも１つのテキストメッセージに含まれたコンテンツの処理からの少なくとも１つの結果の前記対応する加入者への少なくとも１つの配信アクションを有効にし、かつ各配信アクションが、登録された加入者によって判断可能である第５の構成要素と、
を含むことを特徴とするサーバ。
【国際調査報告】
2009540472.tif 000011